(57)【要約】【課題】古紙リサイクルにおいて阻害性がないＩＣタグや書籍等を提供する。【解決手段】ベースフィルム１１の上にアンテナパターン１２を配設し、アンテナパターン１２に電気的に接続したＩＣチップ１３を配置し、その上に保護フィルム１４を貼着し、インレットシート２０を形成したＩＣタグ１０の全面、あるいは一部に十字型、ミシン目等の切目を入れ、古紙リサイクル工程において微細化することによりフローテータでＩＣタグ１０を除去する。【選択図】図３
2009059143.tif 000002
【特許請求の範囲】
【請求項１】
ベースフィルム上に配設されたアンテナパターンと、前記アンテナパターンに接続するＩＣチップとで形成されるインレットからなるＩＣタグであって、前記インレットの全面又は一部に切目を有することを特徴とするＩＣタグ。
【請求項２】
前記ベースフィルムは、紙等の脆弱な素材からなることを特徴とする請求項１記載のＩＣタグ。
【請求項３】
ベースフィルム上に配設されたアンテナパターンと、前記アンテナパターンに接続したＩＣチップとでインレットを形成する工程（ａ）と、
前記インレットに切目を入れる工程（ｂ）と、
を具備することを特徴とするＩＣタグの製造方法。
【請求項４】
ベースフィルム上に配設されたアンテナパターンと、前記アンテナパターンに接続するＩＣチップとで形成されるインレットからなるＩＣタグであって、前記ベースフィルムの全面又は一部に切目を有することを特徴とするＩＣタグ。
【請求項５】
前記ベースフィルムは、紙等の脆弱な素材からなることを特徴とする請求項５記載のＩＣタグ。
【請求項６】
ベースフィルムに切目を入れる工程（ａ）と、
前記ベースフィルム上に配設されたアンテナパターンと、前記アンテナパターンに接続したＩＣチップとでインレットを形成する工程（ｂ）と、
を具備することを特徴とするＩＣタグの製造方法。
【請求項７】
ベースフィルム上に配設されたアンテナパターンと、前記アンテナパターンに接続するＩＣチップとで形成されるインレットからなるＩＣタグであって、前記アンテナパターンの全面又は一部に切目を有することを特徴とするＩＣタグ。
【請求項８】
前記ベースフィルムは、紙等の脆弱な素材からなることを特徴とする請求項７記載のＩＣタグ。
【請求項９】
ベースフィルム上に切目を入れたアンテナパターンを配設する工程（ａ）と、
前記アンテナパターンに接続したＩＣチップとでインレットを形成する工程（ｂ）と、
を具備することを特徴とするＩＣタグの製造方法。
【請求項１０】
請求項１、４、７いずれかに記載のＩＣタグを添付することを特徴とする書籍。
【発明の詳細な説明】
【技術分野】
【０００１】
本発明は、非接触情報通信を行うＩＣ（Ｉｎｔｅｇｒａｔｅｄ Ｃｉｒｃｕｉｔ）タグに係り、特に、古紙リサイクルにおいて阻害性がないＩＣタグ、書籍等に関する。
【背景技術】
【０００２】
近年、バーコードに代えて非接触で情報の読み出し及び書き込みが可能なＩＣタグを商品に付して、市場で必要な様々な情報の管理を可能にすることが提案されている。
書籍・雑誌においても、ＩＣタグを表紙、背表紙あるいは裏表紙の内面側等に取り付けて万引き防止機能を付与するだけではなく、流通や在庫、販売時点においても必要となる様々な情報管理をすることが考えられている。（例えば、特許文献１）。
【０００３】
【特許文献１】特開２００４−２４９４９２号公報
【発明の開示】
【発明が解決しようとする課題】
【０００４】
しかしながら、上記に示す方法では、古紙リサイクル工程においてＩＣタグを除去することができない。ＩＣタグのアンテナパターンはアルミを素材としており、大きさは１０〜２０μｍであるため、５０〜１００μｍのスクリーニングにより不純物を除去する除塵設備ではアンテナパターンは通過してしまい、また、泡とともに浮いている不純物を取り去るフローテーターの脱墨設備では、アンテナパターンが浮いてこないため除去することができず残ってしまい、古紙リサイクルにおいて阻害性を有する。
【０００５】
本発明は、以上の点に鑑みてなされたものでその目的とするところは、古紙リサイクルにおいて阻害性がないＩＣタグや書籍等を提供することにある。
【課題を解決するための手段】
【０００６】
前述した目的を達成するために第１の発明は、ベースフィルム上に配設されたアンテナパターンと、前記アンテナパターンに接続するＩＣチップとで形成されるインレットからなるＩＣタグであって、前記インレットの全面又は一部に切目を有することを特徴とするＩＣタグである。
【０００７】
「ＩＣチップ」は、制御部、情報記憶のためのメモリ部、非接触型ＩＣ無線通信部等を備えるものである。
「インレット」は、外装基材を配設する前の、一次加工部材である。
【０００８】
前記ＩＣタグの前記ベースフィルムは、紙等の脆弱な素材からなる。
【０００９】
第２の発明は、ベースフィルム上に配設されたアンテナパターンと、前記アンテナパターンに接続したＩＣチップとでインレットを形成する工程（ａ）と、前記インレットに切目を入れる工程（ｂ）と、を具備することを特徴とするＩＣタグの製造方法である。
【００１０】
第３の発明は、ベースフィルム上に配設されたアンテナパターンと、前記アンテナパターンに接続するＩＣチップとで形成されるインレットからなるＩＣタグであって、前記ベースフィルムの全面又は一部に切目を有することを特徴とするＩＣタグである。
【００１１】
第４の発明は、ベースフィルムに切目を入れる工程（ａ）と、前記ベースフィルム上に配設されたアンテナパターンと、前記アンテナパターンに接続したＩＣチップとでインレットを形成する工程（ｂ）と、を具備することを特徴とするＩＣタグの製造方法である。
【００１２】
第５の発明は、ベースフィルム上に配設されたアンテナパターンと、前記アンテナパターンに接続するＩＣチップとで形成されるインレットからなるＩＣタグであって、前記アンテナパターンの全面又は一部に切目を有することを特徴とするＩＣタグである。
【００１３】
第６の発明は、ベースフィルム上に切目を入れたアンテナパターンを配設する工程（ａ）と、前記アンテナパターンに接続したＩＣチップとでインレットを形成する工程（ｂ）と、を具備することを特徴とするＩＣタグの製造方法である。
【００１４】
第７の発明は、第１の発明、第３の発明、第５の発明のいずれかに記載のＩＣタグを添付することを特徴とする書籍である。
【発明の効果】
【００１５】
本発明によれば、古紙リサイクルにおいて阻害性がないＩＣタグや書籍等を提供することができる。
【発明を実施するための最良の形態】
【００１６】
以下に、添付図面を参照しながら、本発明に係るＩＣタグ及び書籍の好適な実施形態について詳細に説明する。尚、以下の説明および添付図面において、略同一の機能構成を有する構成要素については、同一の符号を付することにより重複説明を省略することにする。
【００１７】
図１、２、３、４、５により、書籍に添付されるＩＣタグ１０について説明する。
図１は、ＩＣタグ１０の構成を示す平面図、図２は、ＩＣタグ１０の構成を示す断面図、図３は、切目を入れたＩＣタグ１０の第１の実施例の平面図を示す図、図４は、切目を入れたＩＣタグ１０の第２の実施例の平面図を示す図、図５は、切目を入れたＩＣタグ１０の第３の実施例の平面図を示す図である。
【００１８】
図１、２に示すように、ＩＣタグ１０は、ベースフィルム１１、アンテナパターン１２、ＩＣチップ１３を備える。
ＩＣタグ１０は、ベースフィルム１１の上にアンテナパターン１２を配設し、アンテナパターン１２に電気的に接続したＩＣチップ１３を配置し、その上に保護フィルム１４を貼着し、インレットシート２０を形成する。
【００１９】
インレットシート２０の基材であるベースフィルム１１としては、通常使用されるＰＥＴ（ポリエチレンテレフタレート）、ＰＥＴ−Ｇ（テレフタル酸−シクロヘキサンジメタノール−エチレングリコール共重合体）、ＰＰ（ポリプロピレン）、ＰＥ（ポリエチレン）、ＰＣ（ポリカーボネート）、ＰＡ（ポリアミド）、ＰＰＳ（ポリフェニレンサルフイド）、ポリ塩化ビニル、塩化ビニル−酢酸ビニル共重合体、セルロースジアセテート、セルローストリアセテート、ポリスチレン系、ＡＢＳ、ポリアクリル酸エステル、ポリエチレン、ポリウレタン等の素材を使用してもよいが、より脆弱な紙基材を使用するのが好ましい。紙基材としては、上質紙、コート紙、クラフト紙、グラシン紙、合成紙、ラテックスやメラミン含浸紙等が使用できる。
【００２０】
アンテナパターン１２は、アルミ箔（厚さ１０〜５０μｍ）をエッチングして形成する。アンテナサイズは、例えば７６ｍｍ×４５ｍｍである。アンテナパターン１２は、導電性インキによるプリント配線でもよく、また、銅箔や金属捲線を使用するものでもよい。
通信周波数は１３．５６ＭＨｚ（ＩＳＯ１５６９３準拠）、あるいは、ＵＨＦ帯域である８６０〜９６０ＭＨｚ（ＩＳＯ／ＩＥＣ１８０００−６準拠）を使用する。
【００２１】
ＩＣタグ１０を古紙リサイクル工程において微細化するため、ベースフィルム１１、アンテナパターン１２、保護フィルム１４を含むインレットシート２０全面あるいは一部に切目を入れる。
切目は、図３、図４に示すような十字型でもよいし、図５に示すようなミシン目でもよいが、アンテナパターン１２を断線しないように、また、アンテナパターン１２が１０μｍ以下に微細化されるように切目を入れる。
切目は、ベースフィルム１１のみ、あるいは、アンテナパターン１２のみに入れるようにしてもよい。
【００２２】
次に、図６を参照しながら、ＩＣタグ１０を添付した書籍３０について説明する。
図６は、ＩＣタグ１０を添付した書籍３０の構成を示す図である。
【００２３】
ＩＣタグ１０は、書籍３０に関する情報を記憶し、所定周波数の電波により外部リーダライタと交信する。
ＩＣタグ１０は、書籍３０の丁合本３１の見返し３２と表紙３３の間に保持される。見返し３２と表紙３３は、ホットメルト接着剤のような難細裂性を有する接着剤により貼着される。
図６では、ＩＣタグ１０は背表紙部分に形成されているが、表紙部分、裏表紙部分、あるいは、表紙と背表紙、表紙と背表紙と裏表紙、背表紙と裏表紙のいずれかの部分に形成するようにしてもよい。
【００２４】
古紙リサイクル工程において、ＩＣタグ１０のアンテナパターン１２は大きさが１０〜２０μｍであるため、５０〜１００μｍのスクリーニングにより不純物を除去する除塵設備では通過してしまう可能性が高い。しかし、その後、最長辺３〜１０μｍの粒径のインキの分離が可能なフローテータにおいて、微細化されたアンテナパターン１２もインキと共に除去され、古紙リサイクル工程にＩＣタグ１０が入る可能性がなくなる。
【００２５】
以上説明したように、本発明の実施の形態によれば、古紙リサイクルにおいて阻害性がないＩＣタグや書籍等を提供できる。
【００２６】
以上、添付図面を参照しながら、本発明に係るＩＣタグ及び書籍の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００２７】
【図１】ＩＣタグ１０の構成を示す平面図
【図２】ＩＣタグ１０の構成を示す断面図
【図３】切目を入れたＩＣタグ１０の第１の実施例の平面図を示す図
【図４】切目を入れたＩＣタグ１０の第２の実施例の平面図を示す図
【図５】切目を入れたＩＣタグ１０の第３の実施例の平面図を示す図
【図６】ＩＣタグ１０を添付した書籍３０の構成を示す図
【符号の説明】
【００２８】
１０………ＩＣタグ
１１………ベースフィルム
１２………アンテナパターン
１３………ＩＣチップ
１４………保護フィルム
２０………インレットシート
３０………書籍
３１………丁合本
３２………見返し
３３………表紙
【図１】
2009059143.tif 000003
【図２】
2009059143.tif 000004
【図３】
2009059143.tif 000005
【図４】
2009059143.tif 000006
【図５】
2009059143.tif 000007
【図６】
2009059143.tif 000008